【事件の表示】
　特願２０００−２６５４７号「基板端面の洗浄装置」拒絶査定不服審判事件〔平成１３年８月７日出願公開、特開２００１−２１２５３３号〕について、次のとおり審決する。
【結　論】
　本件審判の請求は、成り立たない。
【理　由】
１．手続の経緯・本願発明
　本願は、平成１２年２月３日の出願であって、その請求項１に係る発明は、平成２３年８月２２日付け手続補正書により補正された特許請求の範囲の請求項１に記載された次のとおりのものである。（以下「本願発明」という。）
「基板（１）面と平行に移動する移動体（１１）と、
　前記移動体に固定される駆動モータ（１３）と、
　前記駆動モータにより回転される上面洗浄ローラ（１６）および下面洗浄ローラ（１７）と、
　両洗浄ローラの回転軸（１６ａ、１７ａ）の端部に固定され前記回転軸より大径で外周に連通孔を形成し、外周の両端に大径部を形成した筒状の支持部材（２７、２８）と、
　前記両洗浄ローラの前記回転軸内に回転ジョイント（３３）を介して配置された洗浄液通路（３２）と、
　前記支持部材内部の前記洗浄液通路と連通し前記支持部材の径方向に延びる連通路（３４）と、
　前記支持部材の外周両端の大径部間に配設される円筒形の弾性多孔質体（２９、３０）と、
　を備え、
　前記弾性多孔質体に前記回転ジョイント、前記洗浄液通路、前記連通路及び前記支持部材の連通孔を介して洗浄液を供給するとともに、前記上面洗浄ローラと下面洗浄ローラの間に基板端面を挟着し両者を相対的に移動させて基板端面を洗浄することを特徴とする基板端面の洗浄装置。」
　
２．引用刊行物
（１）引用刊行物１
　これに対して、当審で通知した拒絶の理由に引用され、本願出願前に頒布された特開平６−４５３０２号公報（以下「引用刊行物１」という。）には、図１〜９とともに以下の事項が記載されている。
ア．「この発明の処理装置は、被処理体を回転させつつ処理する装置において、上記被処理体のエッジ部に処理液を供給しつつ洗浄処理するエッジ部洗浄処理手段を備えた・・・（中略）・・・好ましくは被処理体のエッジ部に向けて処理液を供給する機構と、上記エッジ部を擦る機構とで構成する方がよい。
　・・・（中略）・・・被処理体のエッジ部がエッジ部洗浄処理手段により洗浄液が供給されつつ洗浄されるので、被処理体のエッジ部を確実に洗浄処理することができ、ウェット洗浄処理において被処理体の表面に跡形が残らない。」（段落【０００５】〜【０００７】
イ．「図１に示すように上記半導体ウエハの洗浄処理装置１は、被処理体である半導体ウエハ水平状態に保持する回転保持手段であるスピンチャック２（以下ウエハという）を水平状態に保持する回転保持手段であるスピンチャック２と、このスピンチャック２にて保持されるウエハＷのエッジ部３を洗浄処理する手段としてエッジ部３に向けて処理液すなわち洗浄液を供給する機構例えばノズル４と、エッジ部３に付着している粒子汚染物を擦って洗浄除去する機構例えば回転ブラシ５とで主要部が構成されている。・・・（中略）・・・
　上記回転ブラシ５は、図１に示すようにスピンチャック２の側方に配設される操作アーム１０の先端部の下面に設けられている。この回転ブラシ５は、図示しない駆動手段によって駆動する操作アーム１０によってスピンチャック２の回転板８上に回転（θ）移動すると共に、垂直方向（Ｚ）に移動するように構成されており、・・・（中略）・・・図示しない駆動手段によって自転するものであってもよい。
　一方、ノズル４は、・・・（中略）・・・操作機構Ｍによって垂直方向（Ｚ）及び水平方向（Ｘ）に移動可能なアーム１４の先端部に装着され・・・（中略）・・・、回転ブラシ５の使用時にウエハＷのエッジ部３近傍まで移動して図示しない洗浄液供給源から供給される洗浄液を回転ブラシ５の近傍のエッジ部３に供給し得るようになっている。
　・・・（中略）・・・
　このようにウエハＷの周縁部を挟持した状態でスピンチャック２が回転してウエハＷを回転させる。回転するウエハＷのエッジ部３に対してノズル４および回転ブラシ５を接近移動させ、ノズル４からエッジ部３に洗浄液が供給されつつエッジ部３が回転ブラシ５で擦られて洗浄処理される。・・・（中略）・・・こうしてウエハＷの上面（表面）のエッジ部３が確実に洗浄処理される」（段落【００１１】〜【００１４】）
ウ．「また、図４に示すように吸引管１５の入口にウエハＷのエッジ部３を上下から挟持する一対のローラ形回転ブラシ５，５を取付けたものであってもよい。この場合には、ウエハＷのエッジ部３上下面を同時に洗浄できると共に洗浄排液を吸引して回収することができる。」（段落【００１５】）
エ．「被処理体は必ずしも半導体ウエハに限られるものではなく、例えばＬＣＤ基板あるいはプリント基板、フォトマスク、セラミック基板、コンパクトディスクなどについて同様に洗浄等の処理を施すものについても適用できるものである。」（段落【００２２】）
オ．図１には操作アーム１０の回転（θ）移動が垂直軸によりを行われる様子が図示されている。
　上記ア．〜エ．の記載事項及びオ．の図示内容を、特に図４の実施例に着目して、総合すると、引用刊行物１には、以下の発明（以下「引用発明１」という。）が記載されていると認められる。
「回転保持手段であるスピンチャック２に水平状態に保持される半導体ウエハＷやＬＣＤ基板等の被処理体の上に、先端部の回転ブラシ５を、垂直軸による回転（θ）移動をする操作アーム１０と
　駆動手段によって自転する、半導体ウエハＷのエッジ部３を上下から挟持する一対のローラ形回転ブラシ５，５と、
　ノズル４を先端部に装着した、水平方向（Ｘ）に移動可能なアーム１４と、
　エッジ部３に向けて洗浄液を供給するノズル４と、
　を備え、
　スピンチャック２を回転させて半導体ウエハＷを回転させ、ノズル４からエッジ部３に洗浄液が供給されつつエッジ部３が上下から挟持する一対のローラ形回転ブラシ５で擦られて洗浄処理され、半導体ウエハＷのエッジ部３上下面を同時に洗浄できると共に、吸引管１５の入口に一対のローラ形回転ブラシ５，５を取付けて洗浄排液を吸引して回収することができる、
半導体ウエハＷやＬＣＤ基板等の被処理体のエッジ部を確実に洗浄処理する洗浄処理装置１。」
　
（２）引用刊行物２
　同じく引用され、本願出願前に頒布された特開平９−１０３７４８号公報（以下「引用刊行物２」という。）には、図１〜５とともに以下の事項が記載されている。
ア．「本発明は、磁気ディスク，光ディスクその他の円環状部材を洗浄するためのディスク洗浄装置に関するものである。」(段落【０００１】）
イ．「ブラシを回転させるようになし、・・・（中略）・・・ディスクを回転駆動する。ロールブラシは、回転軸にスポンジ等のブラシを嵌合・固着して設けたものであり、回転軸を駆動手段に連結する・・・（中略）・・・、ブラシはディスクの表裏両面に当接させて、回転軸を回転駆動すれば、ブラシを回転させれば、ブラシがディスクに対して摺動する・・・（中略）・・・。洗浄液は、ブラシの外部から供給できるし、またブラシの内部からも供給することができ、これによりディスクの表裏両面が同時に、隈なく洗浄される。」(段落【０００３】）
ウ．「１は円環状部材としての磁気ディスクや、光ディスク等からなるディスクであって、このディスク１は、その外径部を、３つのチャック駒２ａ，２ｂ，２ｃからなるチャック手段に回転自在に支承されている。・・・（中略）・・・ディスク１は、チャック駒２ａ〜２ｃによりチャックさせた状態では、その姿勢は鉛直状態になる。
　次に、１０は一対からなるロールブラシであり、ロールブラシ１０は、図２からも明らかなように、回転軸１１に円筒状に形成したスポンジ等からなるブラシ１２を嵌合・固定したものであり、・・・（中略）・・・ロールブラシ、回転軸及びブラシはそれぞれ一対から構成されて、ディスク１の表裏両面に当接するものであり、・・・（中略）・・・ディスク１の表面側及び裏面側に当接して、・・・（中略）・・・ディスク１は、図３に示したように、両ロールブラシ１０ａ，１０ｂにより挟み込まれる。
　ロールブラシ１０の回転軸１１の基端側の部位は、軸受ユニット１３に回転自在に挿通されておりこの軸受ユニット１３は、回動軸１４に連結され、モータ，カム等の駆動手段により所定角度往復回動する回動ブロック１５に垂設したアーム１６に連結されている。・・・（中略）・・・回動ブロック１５には、モータ２０が装着されており、・・・（中略）・・・モータ２０を作動させると、表面側のローラブラシ１０ａが回転すると共に、裏面側のローラブラシ１０ｂは、これとは反対方向に回転することになる。
　回動ブロック１５を図１の仮想線で示した状態にすることによって、ハンドリング手段からディスク１をチャック駒２ａ〜２ｃへの移載が可能となり、また同図に実線で示した状態に変位させると、ディスク１の表裏両面には、その半径方向の幅の全長にわたってロールブラシ１０ａ，１０ｂのブラシ１２ａ，１２ｂが当接する。そして、モータ２０を作動させて、ロールブラシ１０ａ，１０ｂの回転軸１１ａ，１１ｂを回転駆動すると、これらロールブラシ１０ａ，１０ｂは、図３に矢印で示したように、相互に反対方向に回転することになり、ディスク１の表裏両面に対して摺動することになる。」（段落【００１２】〜【００１６】）
エ．「ディスク１の洗浄時には、洗浄液が供給される。・・・（中略）・・・また第２の供給経路は、ブラシ１２の内部に洗浄液を供給するものである。・・・（中略）・・・また、ブラシ１２の内部に洗浄液を供給するために、回転軸１１の端部にはスイベルジョイント３１が連結されており、このスイベルジョイント３１によって、固定側の洗浄液配管３２から洗浄時に回転する回転軸１１に洗浄液を供給できるようになっている。
　スイベルジョイント３１により洗浄液配管３２から供給された洗浄液は、図４から明らかなように、回転軸１１に、その軸線方向に延在させた洗浄液通路３３内に供給される。そして、洗浄液通路３３には、多数の噴出路３４の一端が開口しており、この噴出路３４の他端は、回転軸１１の周胴面に開口している。噴出路３４は、回転軸１１におけるブラシ１２を嵌合させた部位のほぼ全長にわたり、また円周方向においては、９０°毎，６０°毎等というように、実質的に全周にわたって設けられる。」（段落【００１７】及び【００１８】）
　上記ア．〜エ．の記載事項及び図面を、総合すると、引用刊行物２には、以下の発明（以下「引用発明２」という。）が記載されていると認められる。
「磁気ディスク，光ディスクその他の円環状部材であるディスク１の両面を、洗浄液を供給しつつ、ローラ状の回転洗浄具で洗浄する具体的手段として、
　鉛直状態に支承されているディスク１に垂直の回動軸１４で回動する回動ブロック１５と、
　回動ブロック１５に装着されたモータ２０と、
　ロールブラシ１０の回転軸１１の基端側の部位は軸受ユニット１３に回転自在とされてモータ２０により回転される一対のロールブラシ１０ａ，１０ｂと、
　両ロールブラシ１０ａ，１０ｂの回転軸１１内にスイベルジョイント３１を介して配置された洗浄液通路３３と、
　洗浄液通路３３に一端が開口し、他端が回転軸１１の周胴面に開口している多数の噴出路３４と、
　回転軸１１に嵌合・固定される円筒状に形成したスポンジ等からなるブラシ１２と、
　を備え、
　スポンジ等からなるブラシ１２にスイベルジョイント３１、洗浄液通路３３、噴出路３４を介して洗浄液を供給するとともに、
両ロールブラシ１０ａ，１０ｂがディスク１の表裏両面を挟み込んで当接し、
ディスク１を回転駆動する洗浄装置。」
　
（３）引用刊行物３
　同じく引用され、本願出願前に頒布された実願平４−２８１３９号（実開平５−８１８３８号）のＣＤ−ＲＯＭ（以下「引用刊行物３」という。）には、図１〜５とともに以下の事項が記載されている。
ア．「角型基板を水平姿勢に載置保持して回転する基板保持手段と、前記角型基板の端面を摺接洗浄する鉛直方向の軸芯周りで駆動自転可能な洗浄具とを備えた角型基板洗浄装置において、
前記洗浄具を駆動自転可能に支持し、かつ、角型基板の回転中心から前記洗浄具までの距離が、角型基板の回転中心から角型基板の長辺の中央位置までの距離と、角型基板の回転中心から角型基板の角部までの距離の範囲にわたって変位する支持部材と、前記洗浄具を前記角型基板の端面に押圧する付勢力を付与する付勢手段とを設け、かつ、前記洗浄具の自転方向と前記角型基板の回転方向とを同じ方向にしたことを特徴とする角型基板洗浄装置。」（請求項１）
イ．「本考案は、フォトマスク用のガラス基板、液晶表示装置用のガラス基板等の角型基板に対して、その端面に付着したフォトレジストとかポリイミド樹脂とかカラーフィルタ材などの塗布液を洗浄除去するために、角型基板を載置保持して回転する基板保持手段と、その角型基板の端面を摺接洗浄する鉛直方向の軸芯周りで駆動自転可能な洗浄具とを備えた角型基板洗浄装置に関する。」（段落【０００１】）
ウ．「アーム部分４ａの先端側に洗浄具５の駆動軸６が第３の軸芯（自転軸芯）Ｐ３周りで回転可能に設けられるとともにその駆動軸６に従動プーリー７が取り付けられ、一方、アーム部分４ａの途中箇所に第２の電動モータ８が設けられるとともに、そのモータ軸９に主動プーリー１０が取り付けられ、主動プーリー１０と従動プーリー７とにわたって伝動ベルト１１が巻回され、正逆転可能な第２の電動モータ８によって洗浄具５を駆動自転できるように構成されている。」（段落【００１０】）
エ．「洗浄具５を高速で回転させることにより、洗浄後に洗浄具５に滲み込んだ余剰の洗浄液を振り切り、適量の洗浄液を滲み込ませた状態で、次の洗浄に移行するようになっている。
　・・・（中略）・・・
　洗浄具５としては、表面にフェルトを貼り付けて構成するものや、ナイロン、モヘア等を材質とする毛を植設して構成するものや、多孔質のスポンジや布を巻き付けて構成するものなどが採用できる。
　以上の構成により、角型基板Ｗを比較的低速で回転させながら、その角型基板Ｗの端面に洗浄具５を駆動自転しながら摺接させ、角型基板Ｗを１回転することによって、角型基板Ｗの４辺すべての端面を連続的に洗浄できる。」（段落【００１４】〜【００１７】）
　
（４）引用刊行物４
　同じく引用され、本願出願前に頒布された特開平５−２７７４５２号公報（以下「引用刊行物４」という。）には、図１〜５とともに以下の事項が記載されている。
ア．「角型基板を水平姿勢に載置保持する基板保持手段と、前記角型基板の端面を摺接洗浄する鉛直方向の軸芯周りで駆動自転可能な洗浄具とを備えた角型基板洗浄装置において、
前記洗浄具を支持して前記洗浄具の駆動自転軸芯とは偏位した鉛直方向の軸芯周りで揺動可能な支持部材と、
前記角型基板の外周端面に沿う方向に前記支持部材を直線的に移動する移動手段と、
前記洗浄具を前記角型基板の端面に押圧するように付勢する付勢手段を備えるとともに前記洗浄具を前記支持部材の移動方向において前記支持部材の揺動軸芯よりも後方側で前記角型基板に摺接させるならい機構と、
を備えたことを特徴とする角型基板洗浄装置。」（請求項１）
イ．「本発明は、フォトマスク用のガラス基板、液晶表示装置用のガラス基板等の角型基板に対して、その端面に付着したフォトレジストとかポリイミド樹脂とかカラーフィルタ材などの塗布液を洗浄除去するために、角型基板を載置保持する基板保持手段と、その角型基板の端面を摺接洗浄する鉛直方向の軸芯周りで駆動自転可能な洗浄具とを備えた角型基板洗浄装置に関する。」（段落【０００１】）
ウ．「洗浄具１２は、図３に示すように、駆動軸１３に一体回転可能に取り付けられた回転体２４に、大径のツバ部２５を一体回転可能に設け、そのツバ部２５の上面に基板裏面用摺接部２６を設けるとともに、ツバ部２５の基板裏面用摺接部２６に近い位置で、回転体２４の外表面に基板端面用摺接部２７を設けて構成されている。基板裏面用摺接部２６および基板端面用摺接部２７それぞれの表面にはフェルトが貼り付けられていて、そこに溶剤を滲み込ませて角型基板Ｗの端面および裏面に摺接することにより、付着物を除去するようになっている。」（段落【００１２】）
エ．「３４は、洗浄具１２を洗浄して新たに溶剤を滲み込ませる洗浄容器を示している。」（段落【００１４】）
オ．「また、洗浄具１２としては、上述のようにフェルトを貼り付けて構成するものに限らず、ナイロン、モヘア等を材質とする毛を植設して構成するものでも良い。」（段落【００１９】）
　
（５）引用刊行物５
　同じく引用され、本願出願前に頒布された特開平１１−１０４５７６号公報（以下「引用刊行物５」という。）には、図１〜３とともに以下の事項が記載されている。
ア．「本発明は、パネルの縁部に形成された電極を自動的にクリーニングできるパネル電極のクリーニング装置を提供することを目的とする。
　【課題を解決するための手段】本発明のパネルの電極のクリーニング装置は、パネルの上面に対向する第１のローラと、パネルの下面に対向する第２のローラと、第１のローラの下面に沿って送行される第１のクリーニングテープと、第２のローラの上面に沿って送行される第２のクリーニングテープと、第１のローラと第２のローラを上下動させる上下動手段と、第１のローラと第２のローラをパネルの縁部に沿って相対的に水平移動させる水平移動手段とから成る。
　・・・（中略）・・・
　また前記第１のクリーニングテープと前記第２のクリーニングテープが湿式クリーニングテープであって、前記第１のクリーニングテープと前記第２のクリーニングテープにクリーニング液を供給するクリーニング液供給手段を設けた。
　上記構成の発明によれば、パネルの縁部の上面と下面に形成された電極に第１のローラと第２のローラによりクリーニングテープを押し当て、パネルに対して相対的に水平移動させることにより、パネルの電極をきれいにクリーニングすることができる。」（段落【０００４】〜【０００８】）
　
３．対比・判断
　本願発明と引用発明１とを対比すると、後者の「半導体ウエハＷやＬＣＤ基板等の被処理体」は、その機能・構成からみて、前者の「基板（１）」に相当し、以下同様に、後者の「操作アーム１０」は前者の「移動体（１１）」に、後者の「半導体ウエハＷのエッジ部３を上下から挟持する一対のローラ形回転ブラシ５，５」は前者の「上面洗浄ローラ（１６）および下面洗浄ローラ（１７）」に、後者の「半導体ウエハＷやＬＣＤ基板等の被処理体のエッジ部を確実に洗浄処理する洗浄処理装置１」は前者の「基板端面を洗浄する」「基板端面の洗浄装置」にそれぞれ相当する。
　また、後者の「ノズル４からエッジ部３に洗浄液が供給されつつスピンチャック２を回転させて半導体ウエハＷを回転させ、ノズル４からエッジ部３に洗浄液が供給されつつエッジ部３が上下から挟持する一対のローラ形回転ブラシ５で擦られて洗浄処理」することは前者の「洗浄液を供給するとともに、上面洗浄ローラと下面洗浄ローラの間に基板端面を挟着し両者を相対的に移動させて基板端面を洗浄する」ことに相当する。
　さらに、後者の操作アーム１０は「回転保持手段であるスピンチャック２に水平状態に保持するされる半導体ウエハＷやＬＣＤ基板等の被処理体の上に、先端部の回転ブラシ５を、垂直軸による回転（θ）移動をする」ものであるから、水平移動するものといえ、水平状態に保持される半導体ウエハＷやＬＣＤ基板等の被処理体の面と平行に移動するので、前者の移動体と同様に「基板（１）面と平行に移動する」ものである。
　そして、後者の「駆動手段によって自転する、半導体ウエハＷのエッジ部３を上下から挟持する一対のローラ形回転ブラシ５，５」は前者の「駆動モータにより回転される上面洗浄ローラ（１６）および下面洗浄ローラ（１７）」とは、駆動手段により回転される上面洗浄ローラおよび下面洗浄ローラである点で共通する。
　そうすると、両者は、
「基板（１）面と平行に移動する移動体（１１）と、
　駆動手段により回転される上面洗浄ローラ（１６）および下面洗浄ローラ（１７）と、
　を備え、
　洗浄液を供給するとともに、前記上面洗浄ローラと下面洗浄ローラの間に基板端面を挟着し両者を相対的に移動させて基板端面を洗浄する基板端面の洗浄装置。」である点で一致し、以下の点で相違しているものと認められる。
　
相違点Ａ：駆動手段に関して、本願発明が「移動体に固定される駆動モータ（１３）」であるのに対して、引用発明１はそのようなものではない点。
相違点Ｂ：洗浄液を供給するとともに、基板端面を洗浄する上面洗浄ローラ（１６）および下面洗浄ローラ（１７）に関して、本願発明が「両洗浄ローラの回転軸（１６ａ、１７ａ）の端部に固定され前記回転軸より大径で外周に連通孔を形成し、外周の両端に大径部を形成した筒状の支持部材（２７、２８）と、前記両洗浄ローラの前記回転軸内に回転ジョイント（３３）を介して配置された洗浄液通路（３２）と、前記支持部材内部の前記洗浄液通路と連通し前記支持部材の径方向に延びる連通路（３４）と、前記支持部材の外周両端の大径部間に配設される円筒形の弾性多孔質体（２９、３０）と、を備え、前記弾性多孔質体に前記回転ジョイント、前記洗浄液通路、前記連通路及び前記支持部材の連通孔を介して洗浄液を供給する」のに対して、引用発明１は「一対のローラ形回転ブラシ５，５」であって、「ノズル４を先端部に装着した、水平方向（Ｘ）に移動可能なアーム１４と、エッジ部３に向けて洗浄液を供給するノズル４と、を備え、」「ノズル４からエッジ部３に洗浄液が供給」するものである点。
　
　そこで、上記相違点について検討する。
（１）相違点Ａについて
　移動体に設けられた回転洗浄具を駆動する駆動手段を、移動体上に設けたモータとすることは、例えば、引用発明２もそうであるとともに引用刊行物３にも示されており、当業者が何ら格別の困難性を要することなくなし得た設計的事項である。そして、そのことによる格別の効果もない。
　
（２）相違点Ｂについて
ア．引用発明１の「洗浄液が供給されつつエッジ部３が上下から挟持する一対のローラ形回転ブラシ５で擦られて洗浄処理」する具体的手段として、同じく基板の両面を洗浄液供給しつつローラ状の回転具で洗浄する、引用発明２の洗浄装置の構成を採用することは、当業者が、格別の困難性を要することなくなし得たことである。
　引用刊行物３〜５にも多孔質のスポンジや布、フェルト等を洗浄液を滲み込ませた状態で、基板の端部を摺接洗浄することが示されていることからも、引用発明１に引用発明２のスポンジ等からなるブラシ１２による洗浄装置の構成を採用することが困難とはいえない。
　そして引用発明１も「吸引管１５の入口に一対のローラ形回転ブラシ５，５を取付けて洗浄排液を吸引して回収する」であって、本願発明と同様に、エッジ部以外には洗浄排液や汚れが行かないようにするものである。
　なお、移動体を基板と平行に移動させることによりブラシを洗浄位置に位置させるだけでなく、半導体ウエハＷやＬＣＤ基板等の被処理体のエッジ部を移動させることも、引用刊行物３〜５に示されており、仮にそのような移動体であるとしても、そのようになすことは当業者にとって容易である。
　
イ．引用発明２のローラブラシは、「ロールブラシ１０の回転軸１１の基端側の部位は軸受ユニット１３に回転自在とされて」おり、「回転軸１１に嵌合・固定される円筒状に形成したスポンジ等からなるブラシ１２」は先端側部分に設けられるものである。
　そして、引用発明１はエッジ部を洗浄するものであるから、ブラシ１２が設けられる部分は、先端部分といえる。
　一方、ローラブラシのスポンジ等を取り付ける部分を回転軸より大径とすることは、例えば特開平１０−１７４９４１号公報、特開平７−３１６８５４号公報や実願平５−１１５７６号（実開平６−７０９０７号）のＣＤ−ＲＯＭ等に示されるように従来より周知であり、さらに、一般的に、支持するにあたりボビン等の支持部材を設けることもよく行われることであって、例えば実願昭６１−１３４５９７号（実開昭６３−３８７６０号）のマイクロフイルムに回転軸の外側にスポンジを嵌合する大径の支持筒部を設けることが示されているように、回転軸に大径の支持部材を設けることは、当業者が適宜なし得た設計上の事項といえる。
　そしてそのような支持部材を用いるとき、回転軸１１の噴出路３４からの洗浄液が外側の大径の支持筒部外面のスポンジ等からなるブラシ１２に供給できるように、支持筒部に孔を設けて、回転軸１１から半径方向に延びる連通路により連通させることも、当業者にとって当業者が適宜なし得た事項である。
　なお、大径とする効果について、明細書に記載されておらず、かつ格別であるとはいえない。
　
ウ．円筒状の部分に嵌合・係止するに際し、両端に大径のフランジを設けて確実に係止することは、ボビン等で知られるように、通常なされることといえ、スポンジやフェルト等の部材においても、例えば、特開昭６０−２５５１８８号公報、実願昭６３−１１５３３１号（実開平２−３８１１３号）のマイクロフイルム、実公昭６３−２１６３号公報や特開平６−３１５７１１号公報等に示されるように、従来よりローラブラシにおいて周知である。
　したがって、上記イ．で述べた、スポンジ等からなるブラシ１２を嵌合する支持筒部を用いるとき、その外側に大径のフランジを設けることも、当業者が必要に応じて適宜なし得たことである。
　そして大径部を設けることの効果についても、明細書に記載されておらず、かつ格別であるとはいえない。
　
　そうすると、相違点Ｂに係る本願発明の構成とすることは当業者が容易になし得たことといえ、そのことによる格別の効果もない。
　
　そして、相違点Ａ及びＢを合わせ考えても、本願発明の効果が格別であるとはいえない。
　
　よって、本願発明は、引用発明１、引用発明２、引用刊行物３〜５に記載された事項及び上記周知の事項に基づいて、当業者が容易に発明をすることができたものである。
　
４．むすび
　以上のように、本願発明は、引用発明１、引用発明２、引用刊行物３〜５に記載された事項及び上記周知の事項に基づいて、当業者が容易に発明をすることができたものであるから、特許法第２９条第２項の規定により特許を受けることができない。そうすると、本願の他の請求項に係る発明について検討するまでもなく、本願は拒絶されるべきものである。
　よって、結論のとおり審決する。